(57)【要約】【課題】  装置にセットされる記録媒体の製造メーカー、バージョン等に係わりなく、その記録媒体に対して好適な記録波形を形成して、常に高い記録品質及び再生品質が維持される光記録装置及びそれを備えた情報処理装置を提供する。【解決手段】  装置１にセットされた記録媒体１００に予め記録された情報から記録媒体１００の記録条件に関わる情報を取得する情報取得手段１８と、複数種類の記録媒体に対するそれぞれの記録条件に関する複数の情報を保持する情報保持手段１７と、情報取得手段１８で取得した情報と情報保持手段１７に保持された複数の情報とを照合する情報照合手段１８と、を備える。情報照合手段１８の照合結果に基いて装置１にセットされた記録媒体１００の記録条件を定める。【選択図】        図１
2006244545.tif 000002
【特許請求の範囲】
【請求項１】
記録媒体に光を照射して情報を記録する光記録装置であって、
装置にセットされた前記記録媒体に予め記録された情報から当該記録媒体の記録条件に関わる情報を取得する情報取得手段と、
複数種類の記録媒体に対するそれぞれの記録条件に関する複数の情報を保持する情報保持手段と、
前記情報取得手段で取得した情報と前記情報保持手段に保持された複数の情報とを照合する情報照合手段と、を備え、
前記情報照合手段の照合結果に基いて前記装置にセットされた前記記録媒体の記録条件を定めることを特徴とする光記録装置。
【請求項２】
前記装置にセットされた前記記録媒体に予め記録された情報は、前記記録媒体の製造条件、製造メーカー、バージョン、記録条件のうち少なくとも１つに関する情報であることを特徴とする請求項１に記載の光記録装置。
【請求項３】
前記記録条件は、発光波形、発光出力、発光波長のうち少なくとも１つであることを特徴とする請求項１又は請求項２に記載の光記録装置。
【請求項４】
前記情報取得手段で取得された情報が前記情報保持手段に保持された複数の情報のうちの１つに一致するものと前記情報照合手段で確認されたときに、その一致した情報に基いて前記装置にセットされた記録媒体に対する情報の記録又は／及び再生をおこなうことを特徴とする請求項１〜請求項３のいずれかに記載の光記録装置。
【請求項５】
前記情報取得手段で取得された情報が前記情報保持手段に保持された複数の情報のいずれにも一致しないものと前記情報照合手段で確認されたときに、前記情報保持手段に保持された前記複数の情報に基いて前記記録媒体に対する記録条件を定めて当該記録条件に基いて情報の記録又は／及び再生をおこなうことを特徴とする請求項１〜請求項４のいずれかに記載の光記録装置。
【請求項６】
前記情報保持手段に保持された前記複数の記録条件のうち１つの記録条件を選択して当該１つの記録条件に基いて情報の記録又は／及び再生をおこなうことを特徴とする請求項５に記載の光記録装置。
【請求項７】
前記記録条件は、発光波形と発光出力と発光波長とであって、
前記情報取得手段で取得される前記記録条件と、前記情報保持手段に保持された前記複数の前記記録条件のうち１つの記録条件と、の３つの差分にそれぞれ所定の係数を乗じたものの総和が最も小さくなるように、前記１つの記録条件を選択することを特徴とする請求項６に記載の光記録装置。
【請求項８】
前記記録条件は、発光波形と発光出力と発光波長とであって、
前記情報取得手段で取得される前記記録条件と、前記情報保持手段に保持された前記複数の前記記録条件のうち１つの記録条件と、の３つの差分をそれぞれ２乗して所定の係数を乗じたものの総和が最も小さくなるように、前記１つの記録条件を選択することを特徴とする請求項６に記載の光記録装置。
【請求項９】
前記選択された１つの記録条件を補正して、当該補正された記録条件に基いて情報の記録又は／及び再生をおこなうことを特徴とする請求項６〜請求項８のいずれかに記載の光記録装置。
【請求項１０】
前記記録媒体は、透明基板と、有機色素材料からなる光記録層と、を備えたことを特徴とする請求項１〜請求項９のいずれかに記載の光記録装置。
【請求項１１】
請求項１〜請求項１０のいずれかに記載の光記録装置を備えたことを特徴とする情報処理装置。
【発明の詳細な説明】
【技術分野】
【０００１】
この発明は、ＣＤ−Ｒ／ＲＷ、ＤＶＤ−Ｒ／ＲＷ、ＤＶＤ＋Ｒ／ＲＷ等の記録媒体に光を照射して情報を記録する光記録装置と、それを備えたパーソナルコンピュータ等の情報処理装置と、に関するものである。
【背景技術】
【０００２】
従来から、ＣＤ−Ｒ／ＲＷ、ＤＶＤ−Ｒ／ＲＷ、ＤＶＤ＋Ｒ／ＲＷ等の記録媒体（光ディスク）に光を照射して所望の情報を記録する光記録装置（光ディスク装置）が広く用いられている（例えば、特許文献１参照。）。
【０００３】
詳しくは、光記録装置は、光ピックアップから射出される光（レーザ光）を記録媒体上に走査させながら照射することで、記録媒体上における光学的性質を変化させて、記録媒体に所望の情報を記録（書込み）する。なお、これらの光記録装置は、記録媒体に対する情報の記録に加えて、記録媒体に予め記録されている情報（音楽情報、画像情報等である。）の再生（読込み）もおこなえるものが一般的である。さらには、記録媒体上に記録された既存の情報を消去して新たな情報を記録することができる光記録装置も多く用いられている。
【０００４】
一方、特許文献１等には、記録媒体上の全面にわたって均一な信号特性で記録することを目的として、複数に分割した記録領域ごとに最適な記録パワーを算出して記録する技術が開示されている。
【０００５】
【特許文献１】特開２００２−２０８１３９号公報
【発明の開示】
【発明が解決しようとする課題】
【０００６】
上述した従来の光記録装置は、装置内にセットされる記録媒体の製造メーカーやバージョンによっては、好適な記録波形を形成できずに、記録品質や再生品質が不充分になってしまう場合があった。
【０００７】
すなわち、記録媒体は、国内外を含めて多数の製造メーカーによって製造されていて、その製造メーカーによって記録媒体に対する最適な記録波形が異なる場合が多い。また、同じ製造メーカーが製造する記録媒体であっても、そのバージョン（種類）が異なるものも多数あって、そのバージョンによって記録媒体に対する最適な記録波形が異なる場合も少なくない。
もちろん、多くの記録媒体は、規格によって標準的な光記録装置により設定された記録波形の情報を有しているが、光記録装置の差異によって高品質の最適な記録波形が得られていないのが現状である。
【０００８】
このような状況を考慮して、光記録装置では、製造メーカーやバージョンの異なる複数の記録媒体を想定して、それらに最適な記録波形が複数形成できるように構成することができる。しかし、後発的に新規に製造された記録媒体に対して、先発的に流通する光記録装置に最適な記録波形を予め設定しておくことは理論的にできない。また、市場シェアが極めて低い記録媒体に対して、光記録装置に最適な記録波形を予めすべて設定しておくことはコスト面等から現実的にできない。
【０００９】
一方、上述した特許文献１等の技術は、記録媒体上の全面にわたって均一な信号特性で記録するためのものであって、製造メーカー、バージョン、製造条件、記録条件（記録方法）等が異なる複数種類の記録媒体のすべてに対して、好適な記録波形を形成するものではない。
【００１０】
この発明は、上述のような課題を解決するためになされたもので、装置にセットされる記録媒体の製造メーカー、バージョン等に係わりなく、その記録媒体に対して好適な記録波形を形成して、常に高い記録品質及び再生品質が維持される光記録装置及びそれを備えた情報処理装置を提供することにある。
【課題を解決するための手段】
【００１１】
この発明の請求項１記載の発明にかかる光記録装置は、記録媒体に光を照射して情報を記録する光記録装置であって、装置にセットされた前記記録媒体に予め記録された情報から当該記録媒体の記録条件に関わる情報を取得する情報取得手段と、複数種類の記録媒体に対するそれぞれの記録条件に関する複数の情報を保持する情報保持手段と、前記情報取得手段で取得した情報と前記情報保持手段に保持された複数の情報とを照合する情報照合手段と、を備え、前記情報照合手段の照合結果に基いて前記装置にセットされた前記記録媒体の記録条件を定めるものである。
【００１２】
また、請求項２記載の発明にかかる光記録装置は、前記請求項１に記載の発明において、前記装置にセットされた前記記録媒体に予め記録された情報を、前記記録媒体の製造条件、製造メーカー、バージョン、記録条件のうち少なくとも１つに関する情報としたものである。
【００１３】
また、請求項３記載の発明にかかる光記録装置は、前記請求項１又は請求項２に記載の発明において、前記記録条件を、発光波形、発光出力、発光波長のうち少なくとも１つとしたものである。
【００１４】
また、請求項４記載の発明にかかる光記録装置は、前記請求項１〜請求項３のいずれかに記載の発明において、前記情報取得手段で取得された情報が前記情報保持手段に保持された複数の情報のうちの１つに一致するものと前記情報照合手段で確認されたときに、その一致した情報に基いて前記装置にセットされた記録媒体に対する情報の記録又は／及び再生をおこなうものである。
【００１５】
また、請求項５記載の発明にかかる光記録装置は、前記請求項１〜請求項４のいずれかに記載の発明において、前記情報取得手段で取得された情報が前記情報保持手段に保持された複数の情報のいずれにも一致しないものと前記情報照合手段で確認されたときに、前記情報保持手段に保持された前記複数の情報に基いて前記記録媒体に対する記録条件を定めて当該記録条件に基いて情報の記録又は／及び再生をおこなうものである。
【００１６】
また、請求項６記載の発明にかかる光記録装置は、前記請求項５に記載の発明において、前記情報保持手段に保持された前記複数の記録条件のうち１つの記録条件を選択して当該１つの記録条件に基いて情報の記録又は／及び再生をおこなうものである。
【００１７】
また、請求項７記載の発明にかかる光記録装置は、前記請求項６に記載の発明において、前記記録条件は、発光波形と発光出力と発光波長とであって、前記情報取得手段で取得される前記記録条件と、前記情報保持手段に保持された前記複数の前記記録条件のうち１つの記録条件と、の３つの差分にそれぞれ所定の係数を乗じたものの総和が最も小さくなるように、前記１つの記録条件を選択するものである。
【００１８】
また、請求項８記載の発明にかかる光記録装置は、前記請求項６に記載の発明において、前記記録条件は、発光波形と発光出力と発光波長とであって、前記情報取得手段で取得される前記記録条件と、前記情報保持手段に保持された前記複数の前記記録条件のうち１つの記録条件と、の３つの差分をそれぞれ２乗して所定の係数を乗じたものの総和が最も小さくなるように、前記１つの記録条件を選択するものである。
【００１９】
また、請求項９記載の発明にかかる光記録装置は、前記請求項６〜請求項８のいずれかに記載の発明において、前記選択された１つの記録条件を補正して、当該補正された記録条件に基いて情報の記録又は／及び再生をおこなうものである。
【００２０】
また、請求項１０記載の発明にかかる光記録装置は、前記請求項１〜請求項９のいずれかに記載の発明において、前記記録媒体は、透明基板と、有機色素材料からなる光記録層と、を備えたものである。
【００２１】
また、この発明の請求項１１記載の発明にかかる情報処理装置は、請求項１〜請求項１０のいずれかに記載の光記録装置を備えたものである。
【発明の効果】
【００２２】
本発明は、装置にセットされた記録媒体における記録条件に関する情報と、予め保持された記録条件に関する複数の情報と、を照合して、その結果に基いてセットされた記録媒体の記録条件を定めている。これによって、装置にセットされる記録媒体の製造メーカー、バージョン等に係わりなく、その記録媒体に対して好適な記録波形が形成されて、常に高い記録品質及び再生品質が維持される光記録装置及びそれを備えた情報処理装置を提供することができる。
【発明を実施するための最良の形態】
【００２３】
実施の形態．
以下、この発明を実施するための最良の形態について、図面を参照して詳細に説明する。なお、各図中、同一又は相当する部分には同一の符号を付しており、その重複説明は適宜に簡略化ないし省略する。
【００２４】
図１は、実施の形態における光記録装置１の構成を示すブロック図である。本実施の形態の光記録装置１は、ＣＤ−Ｒ／ＲＷ／ＲＯＭのＣＤ系記録媒体と、ＤＶＤ−Ｒ／ＲＷ、ＤＶＤ＋Ｒ／ＲＷ、ＤＶＤ−ＲＯＭのＤＶＤ系記録媒体と、に対して、情報の記録（書込み）及び再生（読込み）をおこなう複合型ドライブである。なお、図１において、ＣＤ系記録媒体に対する装置１の構成部は、ＤＶＤ系記録媒体に対するものとほぼ同等であるので、その図示の一部を省略する。
【００２５】
図１において、１００は記録媒体（光ディスク）、１は光記録装置、２は記録媒体１００を回転駆動するスピンドルモータ、３は記録媒体１００の記録面上にレーザ光を照射する光ピックアップ、４はスピンドルモータ２と光ピックアップ３内のアクチュエータとを駆動制御するモータドライバ、５は光ピックアップ３から送信される各信号を演算処理するリードアンプ、６はモータドライバ４をサーボ制御するための信号を生成するサーボ処理部、を示す。
【００２６】
また、７は２値化された信号を変調するＤＶＤデコーダ、８は記録媒体１００に刻まれているＡＤＩＰ情報を取り出すＡＤＩＰデコーダ、９はレーザ光源の光量等を制御するレーザコントローラ、１０はＤＶＤに対する情報の正確な書き出し位置を生成するＤＶＤエンコーダ、１１はＤＶＤ−ＲＯＭに対する情報の正確な書き出し位置を生成するＤＶＤ−ＲＯＭエンコーダ、１２は情報を一時記憶するバッファＲＡＭ、１３はバッファＲＡＭ１２を制御するバッファマネージャ、１４はＤＶＤ−ＲＯＭ用の信号を変調するＤＶＤ−ＲＯＭデコーダ、１５はバッファマネージャ１３に電気的に接続されたＡＴＡＰＩ／ＳＣＳＩインターフェース、１６はオーディオ信号を出力するＤ／Ａコンバータ、を示す。
【００２７】
また、１７はＣＰＵ１８にて解読可能なコードで記述された制御プログラムが格納されているＲＯＭ、１８は各ブロックを制御するＣＰＵ、１９は制御に必要な情報が一時的に保存されるＲＡＭ、２０は記録波形を変換するためのパルスジェネレータ、を示す。
ここで、図１中の矢印は、情報（データ）が送信される方向を示すものである。なお、簡単のため、ＣＰＵ１８から各ブロックへの情報の送信方向を示す矢印の図示を省略している。
【００２８】
このように構成された光記録装置１は、次のように動作する。
まず、記録媒体１００が光記録装置１にセットされた状態で、光記録装置１の電源がオン状態になると、ＲＯＭ１７に格納された制御プログラムがメインメモリ（不図示である。）にロードされる。そして、ＣＰＵ１８は、その制御プログラムにしたがって各ブロックの動作を制御するとともに、制御に必要な情報等を一時的にＲＡＭ１９に保存する。
【００２９】
一方、記録媒体１００は、スピンドルモータ２によって回転駆動される。スピンドルモータ２は、モータドライバ４とサーボ処理部６とによって線速度（又は角速度）が一定になるように制御される。なお、スピンドルモータ２の線速度（又は角速度）は、階段的に変更することができる。
【００３０】
図示は省略するが、光ピックアップ３は、半導体レーザ、光学系、フォーカスアクチュエータ、トラックアクチュエータ、受光素子、ポジションセンサ、等で構成されていて、レーザ光を記録媒体１００に照射する。光ピックアップ３は、シークモータによってスレッジ方向に移動可能に構成されている。光ピックアップ３におけるフォーカスアクチュエータ、トラックアクチュエータ、シークモータは、受光素子とポジションセンサとから得られる信号に基いて、モータドライバ４とサーボ処理部６とによってレーザ光のスポットが記録媒体１００上の狙いの位置になるように制御される。
【００３１】
そして、リード時（再生時）には、光ピックアップ３によって得られた再生信号が、リードアンプ５で増幅されて２値化される。リードアンプ５では、最長信号振幅を規格化した後に記録マーク信号を増幅して再生信号を２値化する。
ＤＶＤデコーダ７に入力された２値化データは、８／１６復調される。なお、記録データは８ビットずつまとめられて変調（８／１６変調）されていて、８ビットを１６ビットに変換している。この場合に、結合ビットは、それまでの「１」と「０」の数が平均的に等しくなるように付けられて（「ＤＣ成分の抑制」がおこなわれて）、ＤＣカットされた再生信号のスライスレベル変動が抑圧される。
【００３２】
復調されたデータは、デインターリーブとエラー訂正の処理がおこなわれる。その後、このデータは、ＤＶＤ−ＲＯＭデコーダ１４へ入力されて、データの信頼性を高めるためにエラー訂正の処理がおこなわれる。このように２回のエラー訂正の処理がおこなわれたデータは、バッファマネージャ１３によって一旦バッファＲＡＭ１２に蓄えられて、セクタデータとして揃った状態でＡＴＡＰＩ／ＳＣＳＩインターフェース１５を介してホストコンピュータ（不図示である。）へ転送される。なお、音楽データの場合には、ＤＶＤデコーダ７から出力されたデータが、Ｄ／Ａコンバータ１６へ入力されて、アナログのオーディオ出力信号として取り出されることになる。
【００３３】
他方、ライト時（記録時）には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後、ライト動作が開始される直前にレーザスポットの書込み開始位置への位置合わせがおこなわれる。
記録媒体１００がＤＶＤ＋ＲＷ／＋Ｒである場合、書込み開始位置は、予め記録媒体１００上にトラックの蛇行により刻まれているウォブル信号によって求められる。また、記録媒体１００がＤＶＤ−ＲＷ／−Ｒの場合には書込み開始位置がウォブル信号の代わりにランドプリピットによって求められて、記録媒体１００がＤＶＤ−ＲＡＭ／ＲＡＭ・ＷＯの場合には書込み開始位置がプリピットによって求められる。
【００３４】
なお、ＤＶＤ＋ＲＷ／＋Ｒにおけるウォブル信号には、ＡＤＩＰ（ADress In Pre-groove）と呼ばれるアドレス情報が含まれていて、この情報がＡＤＩＰデコーダ８によって取り出される。
また、このＡＤＩＰデコーダ８によって生成される同期信号は、ＤＶＤエンコーダ１０へ入力されて、記録媒体１００上の正確な位置へのデータの書き込みを可能にしている。バッファＲＡＭ１２のデータは、ＤＶＤ−ＲＯＭエンコーダ１１やＤＶＤエンコーダ１０において、エラー訂正コードの付加やインターリーブがおこなわれた後に、記録用の信号として８／１６変換される。
【００３５】
記録用に変調された信号は、パルスジェネレータ２０において、装置１にセットされた記録媒体１００に適した記録波形（記録光波形）に変換される。そして、変換後の記録波形は、レーザコントローラ９、光ピックアップ３を介して、記録媒体１００に記録される。
【００３６】
なお、光ピックアップ３の効率を補正するために、記録光における回折光を直接的に受光素子によって測定して、そのパワー変動によってレーザコントローラ９の記録パワーを変更することもできる。
また、記録媒体１００に対して記録パワーを補正するために、記録後における発光時の反射光の変動から記録媒体１００に対する記録パワーの効率を測定して、レーザコントローラ９の記録パワーを調整することもできる。
また、アドレスの制御は、ランドプリピットやプリピットからアドレス情報を得る方式にすることもできる。
【００３７】
図２は、図１の光記録装置１を備えた情報処理装置２１の概略図である。
図２に示すように、情報処理装置２１（例えば、パソコン等である。）は、光記録装置１、制御装置２３、インターフェース２５、記録装置（ＨＤＤ）２６、入力装置２２、表示装置２４、等で構成されている。
【００３８】
制御装置２３は、マイクロコンピュータ、メインメモリ等で構成されていて、情報処理装置２１の全体を制御する。
インターフェース２５は、光記録装置１に対する双方向の通信インターフェースであって、ＡＴＡＰＩ、ＳＣＳＩ等の標準インターフェースに準拠している。インターフェース２５は、光記録装置１のインターフェース１５に接続されている。なお、双方のインターフェース１５、２５間の接続は、ＳＣＳＩケーブル等の通信線を用いたケーブル接続や、赤外線等を利用したワイヤレス接続を用いることができる。
【００３９】
記録装置２６には、制御装置２３のマイクロコンピュータにおいて解読可能なコードで記述されたプログラムが格納されている。なお、情報処理装置２１の駆動電源がオン状態になると、記録装置２６に格納されたプログラムが制御装置２３のメインメモリにロードされることになる。
表示装置２４は、ＣＲＴ、液晶ディスプレイ（ＬＣＤ）、プラズマディスプレイパネル（ＰＤＰ）等の表示部を備えていて、制御装置２３からの各種情報を表示する。
【００４０】
入力装置２２は、キーボード、マウス、ポインティングデバイス等の入力部を備えていて、入力された各種情報を制御装置２３に送信する。なお、入力装置２２からの情報伝達はワイヤレス方式でおこなうこともできる。また、表示装置２４と入力装置２２とが一体化されたタッチパネル付きＣＲＴ等を用いることもできる。
また、情報処理装置２１は、オペレーティングシステム（ＯＳ）を搭載している。そして、情報処理装置２１を構成するすべてのデバイスはＯＳによって管理されている。
【００４１】
以下、本実施の形態の光記録装置１における、特徴的な構成・動作について説明する。
本実施の形態における光記録装置１は、情報保持手段としてのＲＯＭ１７に、複数種類の記録媒体１００に対するそれぞれの記録条件に関する情報が保持されている。すなわち、製造メーカーやバージョンや製造条件等が異なる複数種類の記録媒体１００に対して、それぞれに最適な記録条件（発光波形、発光出力、発光波長等である。）に関する情報が、ＲＯＭ１７に予め記憶されている。そして、ＲＯＭ１７に記憶された記録媒体とは異なる未知の記録媒体（製造メーカー、バージョン等が異なるものである。）が装置１にセットされた場合には、ＲＯＭ１７に保持された複数の情報に基いて最適な記録条件が決定される。
【００４２】
まず、情報取得手段として機能するＣＰＵ１８において、装置１にセットされた記録媒体１００に予め記録された情報から、その記録媒体１００の記録条件（記録方法）に関わる情報が取得される。具体的に、光記録装置１にセットされた記録媒体１００の基準記録波形が読み出されて、記録波形の先端部、中間部、終端部の熱量が装置１の記録条件に適した形式に変換される。そして、変換した記録波形（発光波形）の先端部、中間部、終端部を記録して、先端部から終端部に至る全体の最適な記録波形が求められる。
【００４３】
このように測定された記録条件に合わせてＣＰＵ１８にて最適な記録波形が求められると、パルスジェネレータ２０にて最適な記録波形に変更される。そして、変更された最適な記録波形（記録条件）に基いて、記録媒体１００の記録（又は再生）がおこなわれることになる。なお、パルスジェネレータ２０による記録波形の変形は、レーザコントローラ９における記録パワーの設定値を制御することでおこなうことができる。
【００４４】
記録媒体１００がＤＶＤ＋Ｒ、ＤＶＤ−Ｒの場合、その基準波形は記録媒体１００上に記録された情報を直接的に用いることができる。
ＤＶＤ＋Ｒには、ＡＤＩＰ情報内に記録線速ごとの基準波形が規格として定義されている。したがって、ＡＤＩＰデコーダ８によってＤＶＤ＋Ｒの基準波形（記録条件）に関わる情報を直接的に読み出すことができる。
ＤＶＤ−Ｒには、ランドプリピット情報内に記録線速ごとの基準波形が規格として定義されている。したがって、ランドプリピットデコーダ（不図示である。）によってＤＶＤ−Ｒの基準波形に関わる情報を直接的に読み出すことができる。
【００４５】
このように、本実施の形態における光記録装置１の構成は、従来のＣＤ−Ｒ／ＲＷドライブ、ＤＶＤ−Ｒ／ＲＷドライブ、ＤＶＤ＋ＲＷドライブ等に搭載された記録媒体への記録機能に、記録波形を変更する条件を定める機能と、記録波形を変更してその記録波形によって記録をおこなう機能と、を付加したものである。
【００４６】
次に、図３を参照して、本実施の形態の光記録装置１において可変される記録波形（記録条件）の具体例について説明する。
本実施の形態の光記録装置１は、図３（ａ）に示す基本周期Ｔに対して５つ分の記録マーク長にて情報の記録をおこなう（図３（ｂ）を参照できる。）。光記録装置１のＲＯＭ１７には、一般的に用いられる５つの基準記録波形に関する情報が保持されている。
【００４７】
詳細には、図３（Ａ）に示すマルチパルス型の基準記録波形（記録形式）、図３（Ｂ）に示すブロック型の基準記録波形、図３（Ｃ）に示す前方パワード型の基準記録波形、図３（Ｄ）に示す後方パワード型の基準記録波形、図３（Ｅ）に示すキャッスル型の基準記録波形が保持されている。そして、これらの複数の記録条件に基いて、装置１にセットされた記録媒体１００に対して最適な記録条件が定められる。
【００４８】
ここで、上述した波形は、記録媒体の種類や記録線速の規格ごとに異なるものである。しかし、従来の光記録装置はある特定の記録条件に固定されていて複数の基準記録波形を形成できずに、種々の記録媒体の記録波形に対応できない。これに対して、複数の記録媒体に対応した記録条件を予め設定しておいて記録媒体上に予め記録されている情報に基いて対応する記録条件を選択する方策が考えられる。しかし、この方策では記録条件が予め設定されていない未知の記録媒体に対しては記録条件を選択することができないことになる。また、未知の記録媒体に対して共通の記録条件を用いて記録する方策や、記録媒体に関する情報から算出した記録条件を用いる方策も考えられる。しかし、前者の方策は記録媒体に最適な記録条件を設定することにはならず、後者の方策は基準となる光記録装置との相関がとりにくくなってしまう。
【００４９】
本願発明者は、記録媒体１００の材料や製造条件等がある程度限られたものであって、そのような状況で製造された記録媒体に対する光記録装置の記録条件も類似するものであることに着目して、光記録装置１にセットされる記録媒体が未知のものであっても予め記憶された複数の記録条件（図３（Ａ）〜図３（Ｅ）のものである。）に基いて最適な記録条件が定められることを知得した。
【００５０】
ここで、記録媒体１００は、透明基板と、有機色素材料からなる光記録層と、を備えている。
記録媒体１００の光記録層（記録層）は、アゾ染料誘導体を透明基板上に塗布して形成したものである。有機色素材料を光記録層として用いた記録媒体は、記録マークによる記録波形の熱量を制御することが困難であるために、本実施の形態の光記録装置１による記録条件の最適化が有用になる。すなわち、有機色素材料からなる記録媒体に情報を記録する場合、記録条件の許容範囲が狭くなるために記録条件を高精度に最適化する必要がある。
【００５１】
光記録層の有機色素材料としては、上述のものの他に、ポリメチン系色素、アントラキノン系色素、シアニン系色素、ナフタロシアニン系色素、キサンテン系色素、トリフェニルメタン系色素、ピリリウム系色素、アズレンケイ色素、含金属アゾ染料、アゾ染料等を用いることができる。特に、ジカルボシアニン誘導体、フタロシアニン誘導体、ナフタロシアニン誘導体、シアニン誘導体、アゾ染料誘導体、ホルマザン系色素は、光記録層の有機色素材料として好適である。また、アミニウム系色素等の各種クエンチャが添加された色素材料を光記録層の有機色素材料として用いることもできる。さらに、上述した有機色素材料のいずれか１種又は２種以上を樹脂中に分散したものを光記録層の形成材料として用いることもできる。有機色素材料を分散可能な樹脂材料としては、アクリル樹脂、ビニル樹脂、フェノール樹脂、フッ素樹脂、シリコーン樹脂、ポリアミド樹脂、セルロース樹脂等を用いることができる。
【００５２】
また、有機色素材料を透明基板上へ塗布する際の有機色素材料の溶剤としては、アルコール系溶剤、セルソルブ系溶剤等を用いることができる。
さらに、記録媒体１００としては、二座配位子を取りうるキレート材を含有したものを用いることもできる。具体的には、無機酸類、ジカルボン酸類、オキシカルボン酸類、ジオキシ化合物、オキシオキシム類、オキシアルデヒド及び誘導体類、ジケトン類及び類似化合物、オキシキノン類、トロボロン類、Ｎ−オキシド化合物、アミノカルボン酸及び類似化合物、ヒドロキシルアミン類、オキシン類、アルジミン類、オキシオキシム類、オキシアゾ化合物、ニトロソナフトール類、トリアゼン類、ピウレット類、ホルマザン類及びジチゾン類、ビクアリド類、グリオキシム、ジアミン類及び類似化合物、ヒドラジン誘導体、チオエーテル類等を含有させることができる。さらに、イミノ基（イミド、アミド）を有する誘導体を含有させることもできる。
【００５３】
次に、図４にて、本実施の形態の光記録装置１でおこなわれる具体的な制御について説明する。
図４を参照して、まず、光記録装置１にセットされた記録媒体１００に対する情報の記録が開始されると（ステップＳ１）、記録媒体１００に予め記録された情報（例えば、製造メーカー、バージョン等の情報である。）が読み取られて、その情報に基いてＣＰＵ１８（情報取得手段）にて記録媒体１００の記録条件に関わる情報が取得される。なお、記録条件は、記録媒体に照射されるレーザ光の発光波形（記録波形）、発光出力、発光波長である。
【００５４】
その後、ＣＰＵ１８（情報照合手段）にて、セットされた記録媒体１００の記録条件の情報と、予めＲＯＭ１７（情報保持手段）に保持された複数の記録条件に関する情報（先に図３で説明した情報である。）と、が照合される。
詳しくは、まず、セットされた記録媒体１００が予めＲＯＭ１７に設定された複数の記録媒体のいずれかであるかが判断される（ステップＳ２）。その結果、セットされた記録媒体１００が既知のもの（設定された複数の記録媒体のいずれか）であると判断された場合には、ＲＯＭ１７に保持された対応する記録条件で記録媒体１００への記録をおこなう（ステップＳ３）。
【００５５】
これに対して、ステップＳ２にて、セットされた記録媒体１００が未知のものであると判断された場合（設定された複数の記録媒体のいずれでもない場合）には、セットされた記録媒体１００の記録条件が予めＲＯＭ１７に保持された複数の記録条件のいずれかに一致するかが判断される（ステップＳ４）。
その結果、セットされた記録媒体１００の記録条件がＲＯＭ１７に保持された複数の記録条件のいずれかに一致するものと判断された場合には、その一致する記録条件で記録媒体１００への記録をおこなう（ステップＳ５）。
【００５６】
これに対して、ステップＳ４にて、セットされた記録媒体１００の記録条件がＲＯＭ１７に保持された複数の記録条件のいずれにも一致しないものと判断された場合には、所定条件に基いて最適な記録条件が選択される（ステップＳ６）。
詳しくは、セットされた記録媒体１００の記録条件と、ＲＯＭ１７に保持された複数の記録条件のうち１つの記録条件と、の３つの差分（発光波形、発光出力、発光波長についてのそれぞれの差分である。）にそれぞれ所定の係数を乗じたものの総和が最も小さくなるように、記録条件（ＲＯＭ１７に保持された複数の記録条件の１つである。）を選択する。
その後、選択された記録条件で記録媒体１００への記録をおこなう（ステップＳ７）。なお、記録媒体１００の再生をおこなう場合にも、本フローと同様の手順でおこなうことができる。
【００５７】
なお、上述したステップＳ６にて、セットされた記録媒体１００の記録条件と、ＲＯＭ１７に保持された複数の記録条件のうち１つの記録条件と、の３つの差分（発光波形、発光出力、発光波長についてのそれぞれの差分である。）をそれぞれ２乗して所定の係数を乗じたものの総和が最も小さくなるように、記録条件（ＲＯＭ１７に保持された複数の記録条件の１つである。）を選択することもできる。
さらに、上述したステップＳ６の後に、選択された記録条件を所定のルールに基いて補正して、その補正後の記録条件に基いて記録媒体１００の記録をおこなうこともできる。
【００５８】
以下、表１を参照して、本実施の形態の光記録装置１における記録品質についての効果を確認するための実施例及び比較例について説明する。
実施例１〜３、比較例１〜２において、記録媒体としてＤＶＤ＋Ｒを用いて、記録速度は４倍速とした。実施例１〜３では、光記録装置としてＤＶＤ＋Ｒ／＋ＲＷドライブ「ＭＰ５２４０Ａ」（リコー社製）を改造したもの（本実施の形態の光記録装置である。）を用いた。比較例１〜２では、光記録装置としてＤＶＤ＋Ｒ／＋ＲＷドライブ「ＭＰ５２４０Ａ」（リコー社製）（従来の光記録装置である。）を用いた。また、記録信号は、「ＤＤＵ１０００」（パルステック社製）によって信号を再生した。
【００５９】
記録品質は、「ＴＩＡ“ＴＡ５２０”」（ヨコガワ社製）を用いたジッタ特性（σ／Ｔｗ）の測定結果で評価した。なお、ＤＶＤ＋Ｒの場合には、ジッタ特性が９％程度であれば良好な記録品質となる。これに対して、ジッタ特性が１１％以上になると記録品質は劣化し、再生品質も劣化する可能性が高くなる。
【００６０】
【表１】
2006244545.tif 000003
【００６１】
上記の表において、実施例１は、未知の記録媒体を用いて、図４のステップＳ５にて記録媒体への記録がおこなわれたときの結果である。実施例２は、実施例１の記録媒体とは異なる未知の記録媒体を用いて、図４のステップＳ７にて記録媒体への記録がおこなわれたときの結果である。実施例３は、実施例２と同じ記録媒体を用いて、図４のステップＳ７で選択された記録条件を補正して補正後の記録条件に基いて記録媒体への記録がおこなわれたときの結果である。
一方、比較例１は、実施例１と同じ記録媒体を用いて、従来の光記録装置で記録媒体への記録がおこなわれたときの結果である。比較例２は、実施例２及び実施例３と同じ記録媒体を用いて、従来の光記録装置で記録媒体への記録がおこなわれたときの結果である。
【００６２】
表１に示すジッタ特性の測定結果から、本実施の形態の光記録装置１を用いることによって、極めて良好な記録品質が得られることが確認できる。すなわち、実施例１から、未知の記録媒体がセットされても、既知のものと同じ記録波形形式のものであれば、好適な記録波形の生成が実現できることがわかる。また、実施例２及び実施例から、未知の記録媒体がセットされて、既知のものと異なる記録波形形式のものであっても、好適な記録波形の生成が実現できることがわかる。
【００６３】
以上説明したように、本実施の形態の構成によれば、光記録装置１にセットされた記録媒体１００における記録条件に関する情報と、予め保持された記録条件に関する複数の情報と、を照合して、その結果に基いてセットされた記録媒体１００の記録条件を定めている。これによって、光記録装置１にセットされる記録媒体１００の製造条件、製造メーカー、バージョン、記録条件等に係わりなく、その記録媒体１００に対して好適な記録波形が形成されて、常に高い記録品質及び再生品質を維持することができる。
【００６４】
なお、本発明が前記実施の形態に限定されず、本発明の技術思想の範囲内において、前記実施の形態の中で示唆した以外にも、実施の形態は適宜変更され得ることは明らかである。また、前記構成部材の数、位置、形状等は前記実施の形態に限定されず、本発明を実施する上で好適な数、位置、形状等にすることができる。
【図面の簡単な説明】
【００６５】
【図１】この発明の実施の形態における光記録装置を示すブロック図である。
【図２】図１の光記録装置を備えた情報処理装置を示す概略図である。
【図３】図１の光記録装置で形成される複数の記録波形を示す波形図である。
【図４】図１の光記録装置でおこなわれる制御を示すフローチャートである。
【符号の説明】
【００６６】
１  光記録装置（光ディスク装置）、
２  スピンドルモータ、
３  光ピックアップ、
１７  ＲＯＭ（情報保持手段）、
１８  ＣＰＵ（情報照合手段、情報取得手段）、
２１  情報処理装置、
１００  記録媒体（光ディスク）。
【図１】
2006244545.tif 000004
【図２】
2006244545.tif 000005
【図３】
2006244545.tif 000006
【図４】
2006244545.tif 000007